(57)【特許請求の範囲】
【請求項１】
光源部と、該光源部が配置され前記光源部と熱的に結合する本体部と、前記光源部からの光の配光を制御する枠体と、前記光源部へ電力を供給する電源装置と、電波を媒体として無線通信を行う無線通信装置と、を備え、
前記枠体は、筒状の外形形状に形成され前記光源部を囲むように前記本体部に設けられる反射体と、該反射体における前記本体部と反対側において前記反射体の縁に沿って設けられた鍔部と、を有しており、
前記無線通信装置は、前記電源装置とは別体に設けられ、前記枠体の裏側に配置されて、前記枠体の正面視において、前記枠体への投影が前記鍔部の外周縁よりも内側、かつ前記本体部の外縁よりも外側となるように配置されていることを特徴とする照明器具。
【請求項２】
前記無線通信装置は、平板状のアンテナ部を有しており、該アンテナ部が前記鍔部の径方向に対し傾斜して配置されていることを特徴とする請求項１に記載の照明器具。
【請求項３】
前記無線通信装置は、取付部材により前記枠体に取り付けられており、
前記取付部材は、前記アンテナ部を機械的に保護するガード部を有していることを特徴とする請求項２に記載の照明器具。
【請求項４】
前記無線通信装置は、赤外線を媒体として赤外線通信を行う受光素子を有しており、前記枠体は、前記受光素子への赤外線を透過させる透過孔が設けられていることを特徴とする請求項１ないし請求項３のいずれか１項に記載の照明器具。
【請求項５】
前記無線通信装置と前記本体部との間には、前記無線通信装置から導出する電線が挟まれていることを特徴とする請求項１ないし請求項４のいずれか１項に記載の照明器具。
【請求項６】
前記無線通信装置は、通信ユニットと、前記通信ユニットを収容する収容ケースと、を有し、
前記通信ユニットは、アンテナ部と、前記アンテナ部と電気的に接続されて前記アンテナ部を介して前記電波の受信及び送信を行う通信回路部と、を有し、
前記無線通信装置の前記収容ケースが、前記枠体の正面視において、前記枠体への投影が前記鍔部の外周縁よりも内側、かつ前記本体部の外縁よりも外側となるように配置されている請求項１ないし請求項５のいずれか１項に記載の照明器具。
【発明の詳細な説明】
【技術分野】
【０００１】
本発明は、照明器具に関し、特に、無線通信が可能な照明器具に関する。
【背景技術】
【０００２】
近年、省エネルギ化やユーザの利便性の向上を図るために、無線通信で照明器具の遠隔操作が行われる場合がある。
【０００３】
この種の照明器具としては、器具本体と、第１の筐体と、第２の筐体と、を備えた構造が知られている（たとえば、特許文献１）。
【０００４】
特許文献１の照明器具は、器具本体が光源を有している。第１の筐体は、光源に電力を供給する電源回路を覆うように構成されている。第２の筐体は、第１の筐体の外部に配置されている。第２の筐体は、無線信号を送信または受信するアンテナ部を覆うように構成されている。
【０００５】
特許文献１の照明器具は、アンテナ部が構造物に埋め込まれるような場合であっても、送信性能または受信性能を確保しやすくすることができる、とされている。
【先行技術文献】
【特許文献】
【０００６】
【特許文献１】特開２０１５−３７０４２号公報
【発明の概要】
【発明が解決しようとする課題】
【０００７】
ところで、照明器具では、より施工性の高い構造が求められており、上述の特許文献１の構成だけでは十分でなく、更なる改良が求められている。
【０００８】
本発明の目的は、より施工性を高くすることが可能な照明器具を提供することにある。
【課題を解決するための手段】
【０００９】
本発明の照明器具は、光源部と、本体部と、枠体と、電源装置と、無線通信装置と、を備えている。上記本体部は、上記光源部が配置される。上記本体部は、上記光源部と熱的に結合する。上記枠体は、上記光源部からの光の配光を制御する。上記電源装置は、上記光源部へ電力を供給する。上記無線通信装置は、電波を媒体として無線通信を行うことができるように構成されている。上記枠体は、反射体と、鍔部と、を有している。上記反射体は、筒状の外形形状に形成されている。上記反射体は、上記光源部を囲むように上記本体部に設けられる。上記鍔部は、上記反射体における上記本体部と反対側において、上記反射体の縁に沿って設けられる。上記無線通信装置は、上記電源装置と別体に設けられている。上記無線通信装置は、上記枠体の裏側に配置されている。上記無線通信装置は、上記枠体の正面視において、上記枠体への投影が上記鍔部の外周縁よりも内側となるように配置されている。上記無線通信装置は、上記枠体の正面視において、上記枠体への投影が上記本体部の外縁よりも外側となるように配置されていることを特徴とする。
【発明の効果】
【００１０】
本発明の照明器具は、より施工性を高くすることができる。
【図面の簡単な説明】
【００１１】
【図１】実施形態１の照明器具を示す分解斜視図である。
【図２】実施形態１の照明器具を説明する一部破断した正面図である。
【図３】実施形態１の照明器具を示す側面図である。
【図４】実施形態１の照明器具を示す背面側の斜視図である。
【図５】実施形態１の照明器具を説明する正面側の斜視図である。
【図６】実施形態１の照明器具の要部を示す分解斜視図である。
【図７】実施形態１の照明器具を示す回路図である。
【図８】実施形態２の照明器具を説明する斜視図である。
【発明を実施するための形態】
【００１２】
（実施形態１）
以下では、本実施形態の照明器具１０について、図１ないし図７を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１３】
本実施形態の照明器具１０は、図１ないし図５に示すように、光源部１と、本体部２と、枠体３と、電源装置４と、無線通信装置５と、を備えている。本体部２は、光源部１が配置される。本体部２は、光源部１と熱的に結合する。枠体３は、光源部１からの光の配光を制御する。電源装置４は、光源部１へ電力を供給する。無線通信装置５は、電波を媒体として無線通信を行うことができるように構成されている。
【００１４】
枠体３は、反射体３ａと、鍔部３ｂと、を有している。反射体３ａは、筒状の外形形状に形成されている。反射体３ａは、光源部１を囲むように本体部２に設けられる。鍔部３ｂは、反射体３ａにおける本体部２と反対側において、反射体３ａの縁に沿って設けられる。無線通信装置５は、電源装置４と別体に設けられている。無線通信装置５は、図２に示すように、枠体３の正面視において、枠体３への投影が鍔部３ｂの外周縁３ｕｕよりも内側となるように配置されている。無線通信装置５は、枠体３の正面視において、枠体３への投影が本体部２の外縁２ｕｕよりも外側となるように配置されている。図２では、本体部２および無線通信装置５を破線で例示している。
【００１５】
本実施形態の照明器具１０では、無線通信装置５は、鍔部３ｂのへの投影が、枠体３の外周縁３ｕｕより内側、かつ本体部２の外縁２ｕｕよりも外側となるように配置されているので、より施工性を高くすることができる。
【００１６】
以下では、本実施形態の照明器具１０について、より詳細に説明する。本実施形態の照明器具１０は、ダウンライトを構成している。照明器具１０は、光源部１と本体部２と枠体３と電源装置４と無線通信装置５とに加え、取付部材６と、給電線７と、取付ばね８と、を有している。
【００１７】
光源部１は、図１に示すように、発光部１ａと、実装基板１ｂと、を有している。発光部１ａは、複数個のＬＥＤ(Light Emitting Diode)チップと、複数個のＬＥＤチップを覆う封止部１ａ１と、を有している。ＬＥＤチップは、青色光が発光可能な青色ＬＥＤチップが用いられている。封止部１ａ１は、透光性材料により形成されている。封止部１ａ１の透光性材料としては、たとえば、シリコーン樹脂、エポキシ樹脂やガラスなどが用いられる。
【００１８】
発光部１ａは、封止部１ａ１の材料に、蛍光体が混合されている。蛍光体は、青色ＬＥＤチップから放射される青色光により励起されて、黄色光を放射する黄色蛍光体が用いられている。発光部１ａは、青色ＬＥＤチップから放射される青色光と、黄色蛍光体から放射される黄色光との混色により白色光を放射することができる。発光部１ａは、複数個のＬＥＤチップを備える構成だけでなく、１個のＬＥＤチップを備える構成でもよい。発光部１ａは、封止部１ａ１の材料に、蛍光体が混合されていなくともよい。
【００１９】
実装基板１ｂは、矩形平板の外形形状をしている。実装基板１ｂは、所定形状の配線部が形成されている。実装基板１ｂは、中央部に複数個のＬＥＤチップが等間隔で配置されている。実装基板１ｂは、はんだにより、配線部と、ＬＥＤチップと、が電気的に接続されている。実装基板１ｂは、配線部により、複数のＬＥＤチップが電気的に直列接続されている。実装基板１ｂは、複数個のＬＥＤチップを電気的に直列接続させる構成だけに限られず、並列接続させる構成でもよいし、直並列接続させる構成でもよい。実装基板１ｂは、ＬＥＤチップの実装面を除いて、配線部を機械的に保護する絶縁性の保護膜が形成されている。保護膜は、光拡散材を含有する合成樹脂などにより形成することができる。保護膜は、発光部１ａから放射された光が実装基板１ｂに吸収されることを抑制できる。実装基板１ｂは、プリント配線板が用いられている。実装基板１ｂは、プリント配線板だけに限られず、たとえば、セラミック基板、金属ベースプリント配線板などが用いられてもよい。光源部１は、実装基板１ｂにおけるＬＥＤチップの実装面と反対側が本体部２に接するように、本体部２に搭載される。
【００２０】
本体部２は、基体２ａと、一対の接続端子２ｂと、一対の端子カバー２ｃと、取付枠２ｄと、反射板２ｅと、レンズ２ｆと、を備えている。基体２ａは、底部２ｇと、壁部２ｈと、複数のフィン２ｊと、を備えている。底部２ｇは、円板状の外形形状をしている。底部２ｇは、中央部が窪んだ凹所２ｇａと、凹所２ｇａから突出する突台部２ｇｂと、を備えている。突台部２ｇｂは、実装基板１ｂが搭載できるように構成されている。壁部２ｈは、筒状の外形形状をしている。壁部２ｈは、底部２ｇの外周に沿って設けられている。フィン２ｊは、底部２ｇにおける光源部１が配置される第１面２ａａとは反対側の第２表面２ａｂに設けられている。フィン２ｊは、平板状の外形形状をしている。フィン２ｊは、底部２ｇの第２表面２ａｂから立ち上がるように設けられている。複数のフィン２ｊは、所定の間隔を隔てて設けられている。基体２ａは、光源部１で発生した熱を、フィン２ｊを介して、外部に放熱することができる。
【００２１】
基体２ａは、アルミダイキャスト製としている。基体２ａは、アルミニウムを用いる構成だけに限られない。基体２ａは、たとえば、樹脂に比べて熱伝導性の高い材料として、銅やステンレスなどの金属材料により形成されていてもよい。
【００２２】
接続端子２ｂは、正面視において、Ｌ字状の外形形状に形成されている。接続端子２ｂは、一方端部２ｂａが光源部１と電気的に接続され、一方と反対の他方端部２ｂｂが給電線７と電気的に接続される。接続端子２ｂは、一方端部２ｂａと他方端部２ｂｂとを除いて、端子カバー２ｃにより覆われる。端子カバー２ｃは、長尺の外形形状をしており、端部にねじ孔２ｃａを備えている。端子カバー２ｃは、取付枠２ｄを介して、ねじ孔２ｃａに挿通した固定ねじ２ｋにより、基体２ａにねじ止めされる。接続端子２ｂは、一方端部２ｂａが実装基板１ｂを突台部２ｇｂに押圧して、一方端部２ｂａと本体部２との間で光源部１を挟み持つことができるように構成されている。
【００２３】
取付枠２ｄは、枠部２ｄａと、一対の引掛爪２ｄｂと、を備えている。枠部２ｄａは、長尺の平板状に形成されている。枠部２ｄａは、中央部に開口孔２ｄｃが設けられ、枠状の外形形状をしている。枠部２ｄａは、開口孔２ｄｃから光源部１を外部に露出させることができるように形成されている。引掛爪２ｄｂは、枠部２ｄａの厚み方向に突出するように設けられている。一対の引掛爪２ｄｂは、枠部２ｄａの長手方向の両側に設けられている。引掛爪２ｄｂは、弾性変形できるように形成されている。取付枠２ｄは、樹脂材料により形成されている。取付枠２ｄは、枠部２ｄａと引掛爪２ｄｂとが一体的に形成されている。取付枠２ｄは、引掛爪２ｄｂにより、反射板２ｅを引き掛けることができるように構成されている。
【００２４】
反射板２ｅは、基部２ｍと、外周壁２ｎと、内周壁２ｐと、突出部２ｑと、を備えている。反射板２ｅは、光源部１が固定された本体部２における底部２ｇを覆うことができるように形成されている。基部２ｍは、円環の平板状の外形形状をしている。外周壁２ｎは、円筒状の外形形状をしている。外周壁２ｎは、基部２ｍにおける円環の外周に沿って設けられている。外周壁２ｎは、基部２ｍの厚み方向に突出するように設けられている。内周壁２ｐは、基部２ｍにおける円環の内周に沿って設けられている。内周壁２ｐは、基部２ｍにおける外周壁２ｎと反対側に突出するように設けられている。内周壁２ｐは、光源部１の光軸方向に沿って、光源部１から離れるにつれ開口面積が徐々に大きくなる窓孔部２ｅａを備えている。窓孔部２ｅａは、光源部１の発光部１ａが露出できるように構成されている。突出部２ｑは、基部２ｍの厚み方向に沿って、外周壁２ｎと反対側に突出するように設けられている。突出部２ｑは、平板状の外形形状をしている。突出部２ｑは、円環の基部２ｍの外周に沿って、２つ設けられている。突出部２ｑは、厚み方向に貫通する引掛孔２ｑａを有している。引掛孔２ｑａは、取付枠２ｄの引掛爪２ｄｂが引き掛けられることができるように形成されている。外周壁２ｎは、周部に沿って対向するように、一対の保持爪２ｒが設けられている。保持爪２ｒは、外周壁２ｎの厚み方向に対して、弾性変形できるように形成されている。
【００２５】
反射板２ｅは、基部２ｍと外周壁２ｎと内周壁２ｐと突出部２ｑと保持爪２ｒとが一体的に形成されている。反射板２ｅは、熱可塑性の樹脂により形成されている。反射板２ｅは、熱可塑性の樹脂として、たとえば、ポリブチレンテレフタレート樹脂を用いることができる。反射板２ｅは、熱可塑性の樹脂に白色顔料が含有されていてもよい。
【００２６】
レンズ２ｆは、円板状のレンズ本体２ｆａと、環状の周壁部２ｆｂと、を有している。レンズ本体２ｆａは、正面視において、複数のレンズ部２ｆｃが配置されている。レンズ部２ｆｃは、光源部１からの光を集光や拡散させることができるように形成される。レンズ部２ｆｃは、凸レンズ、凹レンズやフレネルレンズなどを構成するように形成されている。周壁部２ｆｂは、レンズ本体２ｆａの外周に沿って、円筒状に設けられている。周壁部２ｆｂは、爪孔部２ｆｄを有している。爪孔部２ｆｄは、反射板２ｅにおける保持爪２ｒが引き掛けられるように形成されている。レンズ２ｆは、爪孔部２ｆｄに保持爪２ｒが引き掛けられることで、反射板２ｅに着脱自在に取り付けられる。レンズ２ｆは、反射板２ｅの基部２ｍと外周壁２ｎとで囲まれる領域に収容されるように形成されている。レンズ２ｆは、光源部１を覆うことができるように配置される。レンズ２ｆは、光源部１からの光を所定の配向特性が得られるように放射することができる。
【００２７】
レンズ２ｆは、レンズ本体２ｆａと、周壁部２ｆｂと、が一体的に形成されている。レンズ２ｆは、全体が透光性を備えている。レンズ２ｆの材料としては、たとえば、ポリカーボネート樹脂、アクリル樹脂、ポリブチレンテレフタレート樹脂などの樹脂材料やガラスが挙げられる。レンズ２ｆは、樹脂材料を用いて形成する場合、射出成形などにより形成することができる。
【００２８】
枠体３は、反射体３ａと鍔部３ｂとに加え、枠本体３ｃと、保持部３ｄと、を備えている。反射体３ａは、光源部１の光軸に沿って、本体部２から離れるにつれ開口径が広がるように形成されている。反射体３ａは、レンズ２ｆを露出させる露出孔３ａａを備えている。反射体３ａは、光源部１から放射された光の配光を制御することができる。反射体３ａは、光源部１から放射される光を反射させて、所定の配光が得られるように構成されている。反射体３ａは、光源部１から放射される光の一部をカットして、光源部１からの光の広がり角度を所定の範囲内とさせることができる。
【００２９】
鍔部３ｂは、図２に示すように、正面視において、円環状の平板の外形形状をしている。鍔部３ｂは、反射体３ａの先端縁から外方に広がるように設けられている。鍔部３ｂは、正面視において、露出孔３ａａに向かって突出する突出片３ｅを有している。突出片３ｅは、厚み方向に貫通する透過孔３ｅａを有している。透過孔３ｅａは、無線通信装置５に対応して設けられている。突出片３ｅには、透過孔３ｅａを塞ぐように、カバー体３ｆが設けられる。カバー体３ｆは、赤外線が透過できるように構成されている。カバー体３ｆの材料としては、たとえば、ポリエチレン樹脂やアクリル樹脂を用いることができる。
【００３０】
枠本体３ｃは、円筒状の外形形状をしている。枠本体３ｃは、レンズ２ｆと反射板２ｅとを囲んで収容できるように形成されている。枠本体３ｃは、図１、図３および図４に示すように、ねじ部３ｋにより、反射体３ａと反対側が本体部２に取り付けられる。
【００３１】
保持部３ｄは、反射体３ａの外周に沿って、鍔部３ｂと反射体３ａとに跨るように設けられている。保持部３ｄは、取付ばね８を保持することができるように形成されている。保持部３ｄは、取付ばね８の一端部８ａが挿入できるように構成されている。
【００３２】
枠体３は、反射体３ａと鍔部３ｂと枠本体３ｃと保持部３ｄとが一体的に形成されている。枠体３の材料としては、たとえば、アルミニウムやステンレスなどの金属材料を用いることができる。枠体３の材料としては、金属材料だけに限られず、各種の樹脂材料が用いられてもよい。
【００３３】
電源装置４は、電源ユニット４ａと、端子台４ｂと、ハウジング部４ｃと、を備えている。電源ユニット４ａは、給電線７を介して、光源部１に適宜の電力を給電できるように構成されている。電源ユニット４ａは、光源部１の点灯を制御する点灯回路を構成している。電源ユニット４ａは、無線通信装置５と電気的に接続されている。電源ユニット４ａは、無線通信装置５からの制御信号に基づいて、光源部１の点灯を制御することができるように構成されている。
【００３４】
電源ユニット４ａは、図７に示すように、入力コネクタ４ｄと、フィルタ回路４ｅと、整流器４ｆと、昇圧回路４ｇと、降圧回路４ｈと、出力コネクタ４ｉと、を備えている。電源ユニット４ａは、主制御回路４ｊと、制御電源回路４ｋと、調光制御回路４ｍと、消灯制御回路４ｎと、制御用コネクタ４ｐと、を備えている。
【００３５】
入力コネクタ４ｄは、端子台４ｂを介して、外部電源４０と電気的に接続される。フィルタ回路４ｅは、コモンモードチョークコイル４ｅ１と、アクロス・ザ・ラインコンデンサ４ｅ２と、で構成されている。整流器４ｆは、ダイオードブリッジで構成されている。整流器４ｆは、フィルタ回路４ｅおよび入力コネクタ４ｄを介して、外部電源４０と交流入力端子が電気的に接続されている。整流器４ｆは、外部電源４０から供給される交流電圧・交流電流を全波整流して直流出力端子から出力することができるように構成されている。
【００３６】
昇圧回路４ｇは、チョークコイルＬ１と、第１のスイッチ素子Ｑ１と、第１の整流素子Ｄ１と、第１の平滑コンデンサＣ１と、を備えている。昇圧回路４ｇは、チョークコイルＬ１と第１のスイッチ素子Ｑ１と第１の整流素子Ｄ１と第１の平滑コンデンサＣ１とで、昇圧チョッパ回路を構成している。昇圧回路４ｇは、整流器４ｆから出力される脈流電圧を昇圧させる。降圧回路４ｈは、第２のスイッチ素子Ｑ２と、インダクタＬ２と、第２の整流素子Ｄ２と、第１抵抗Ｒ１と、第２の平滑コンデンサＣ２と、を備えている。降圧回路４ｈは、第２のスイッチ素子Ｑ２とインダクタＬ２と第２の整流素子Ｄ２と第１抵抗Ｒ１と第２の平滑コンデンサＣ２とで、降圧チョッパ回路を構成している。降圧回路４ｈは、昇圧回路４ｇから出力される直流電圧を降圧させる。出力コネクタ４ｉは、レセプタクルコネクタが用いられている。出力コネクタ４ｉは、降圧回路４ｈの出力端子と電気的に接続されている。
【００３７】
主制御回路４ｊは、第１のスイッチ素子Ｑ１をスイッチングさせ、昇圧回路４ｇの出力電圧を一定に維持することができるように構成されている。主制御回路４ｊは、第２のスイッチ素子Ｑ２をスイッチングさせ、降圧回路４ｈの出力電流を所定の目標値に一致させるように構成されている。制御電源回路４ｋは、昇圧回路４ｇの出力電圧から主制御回路４ｊの動作電力を生成するように構成されている。
【００３８】
制御用コネクタ４ｐは、レセプタクルコネクタが用いられている。制御用コネクタ４ｐは、無線通信装置５と電気的に接続される。電源ユニット４ａでは、無線通信装置５から出力される制御信号が、調光制御回路４ｍと消灯制御回路４ｎとに入力される。
【００３９】
消灯制御回路４ｎは、制御信号に応じて、光源部１を消灯させるための消灯信号を生成して、主制御回路４ｊに出力するように構成される。主制御回路４ｊは、消灯信号を受け取ると、第２のスイッチ素子Ｑ２のスイッチングを中止して降圧回路４ｈを停止させ、光源部１を消灯するように構成される。
【００４０】
調光制御回路４ｍは、制御信号に応じて、光源部１の調光レベルを指示する調光信号を生成して主制御回路４ｊに出力するように構成される。主制御回路４ｊは、調光制御回路４ｍから受け取る調光信号に応じて、第２のスイッチ素子Ｑ２のオンデューティ比を調整するように構成される。調光制御回路４ｍは、第１抵抗Ｒ１の両端電圧から降圧回路４ｈの出力電流を検出し、出力電流の平均値を調光レベルに対応した目標値に一致させるように、調光信号を生成する。
【００４１】
端子台４ｂは、外部電源４０からの電力を電源ユニット４ａに供給できるように構成されている。端子台４ｂは、外部電源４０として、たとえば、商用交流電源と電気的に接続できるように構成されている。
【００４２】
ハウジング部４ｃは、図１、図３、図４および図５に示すように、長尺の箱状に形成されている。ハウジング部４ｃは、内部に電源ユニット４ａが収容できるように構成されている。ハウジング部４ｃは、長手方向の一端側に端子台４ｂが配置成されている。ハウジング部４ｃは、電源ユニット４ａおよび端子台４ｂを固定することができるように構成されている。電源装置４は、電源ユニット４ａを収容したハウジング部４ｃが本体部２から離れて配置できるように、本体部２と別体に構成されている。ハウジング部４ｃは、金属製の板材の打ち抜き加工および折り曲げ加工によって形成されている。
【００４３】
無線通信装置５は、図６に示すように、通信ユニット５ａと、収容ケース５ｂと、電線５ｃと、を備えている。通信ユニット５ａは、回路基板５ｄと、回路カバー５ｅと、を備えている。
【００４４】
通信ユニット５ａは、無線通信を行うことができるように構成されている。通信ユニット５ａは、アンテナ部５ｆと、通信回路部５ｇと、を有している。アンテナ部５ｆと通信回路部５ｇとは、回路基板５ｄに形成されている。アンテナ部５ｆは、少なくとも電波の受信が可能なように構成されている。アンテナ部５ｆは、電波の送信が可能なように構成されていてもよい。アンテナ部５ｆは、通信回路部５ｇと電気的に接続される。通信回路部５ｇは、たとえば、水晶発振器、マイクロコンピュータなどの電子部品を回路基板５ｄに実装して、電波の受信や送信ができるように構成されている。通信回路部５ｇは、電波の送信や受信を行う電子部品に加え、赤外線を受光する受光素子５ｋａを備えている。通信回路部５ｇは、回路基板５ｄにおいて、回路カバー５ｅで覆われている。
【００４５】
回路基板５ｄは、平板の外形形状をしている。回路基板５ｄは、プリント配線板で形成されている。回路基板５ｄは、アンテナ部５ｆで受信された通信信号を通信回路部５ｇに入力することができるように構成されている。回路基板５ｄは、通信回路部５ｇが出力した通信信号を、アンテナ部５ｆから外部に電波を放射できるように構成されている。
【００４６】
アンテナ部５ｆは、たとえば、回路基板５ｄにおける所定形状の導体を用いて形成させることができる。所定形状の導体としては、たとえば、導体を折り曲げて形成させた迂回配線などが挙げられる。アンテナ部５ｆは、回路基板５ｄの厚み方向の一面だけに設けられて形成されてもよいし、両面に設けられて形成されてもよい。すなわち、アンテナ部５ｆは、平板状に形成されている。アンテナ部５ｆは、回路基板５ｄの導体を利用して形成した構成だけに限られず、回路基板５ｄとは別途に形成された構成でもよい。
【００４７】
回路カバー５ｅは、有底角筒状の外形形状をしている。回路カバー５ｅは、電波を遮蔽する金属材料で形成されている。回路カバー５ｅの金属材料としては、たとえば、ステンレス、銅やアルミニウムなどを用いることができる。回路カバー５ｅは、金属平板の打ち抜き加工および折り曲げ加工などにより形成することができる。
【００４８】
収容ケース５ｂは、蓋体５ｂａと、ケース本体５ｂｂと、を備えている。蓋体５ｂａは、アンテナ収容部５ｂｆと、平板部５ｂｇと、脚部５ｂｈと、を備えている。平板部５ｂｇは、矩形平板状の外形形状をしている。アンテナ収容部５ｂｆは、平板部５ｂｇの一表面から立ち上がるように設けられている。アンテナ収容部５ｂｆは、アンテナ部５ｆを収容することができるように構成されている。アンテナ収容部５ｂｆは、正面視において、長手方向が平板部５ｂｇの長手方向と平行となるように設けられている。脚部５ｂｈは、平板部５ｂｇにおけるアンテナ収容部５ｂｆと反対側に突出している。脚部５ｂｈは、平板部５ｂｇから突出する先端に爪部５ｂｊを備えている。一対の脚部５ｂｈは、矩形状の平板部５ｂｇの長手方向で対向するように配置されている。脚部５ｂｈは、矩形状の平板部５ｂｇにおける短手方向の各辺に沿って設けられている。脚部５ｂｈは、平板部５ｂｇに対し、爪部５ｂｊの突出方向と反対側に撓むことができるように弾性を有している。
【００４９】
蓋体５ｂａは、平板部５ｂｇの厚み方向に貫通する貫通孔５ｆａが設けられている。貫通孔５ｆａは、平板部５ｂｇの正面視において、アンテナ収容部５ｂｆの長手方向の一端部に配置されている。貫通孔５ｆａは、受光素子５ｋａにおける受光部５ｋｂと対向配置できるように設けられている。蓋体５ｂａは、貫通孔５ｆａを介して、受光素子５ｋａが赤外線信号を受光できるように構成されている。蓋体５ｂａは、アンテナ収容部５ｂｆの長手方向における貫通孔５ｆａとは反対側に、平板部５ｂｇからアンテナ収容部５ｂｆに渡って突出する突起部５ｂｓを備えている。
【００５０】
ケース本体５ｂｂは、矩形状の底壁部５ｂ１と、一対の第１側壁部５ｂ２と、一対の第２側壁部５ｂ３と、を備えている。一対の第１側壁部５ｂ２は、底壁部５ｂ１の長手方向に沿って、底壁部５ｂ１から立ち上がるように、対向して設けられている。一対の第２側壁部５ｂ３は、底壁部５ｂ１の短手方向に沿って、底壁部５ｂ１から立ち上がるように、対向して設けられている。ケース本体５ｂｂは、矩形状の底壁部５ｂ１と一対の第１側壁部５ｂ２と一対の第２側壁部５ｂ３とで、一面が開放された開口を有する箱状に形成されている。ケース本体５ｂｂは、底壁部５ｂ１の長手方向に沿って、第２側壁部５ｂ３から外方に突出する出張部５ｂ４を備えている。出張部５ｂ４には、固定部５ｂｒを備えている。固定部５ｂｒには、ねじ孔が形成されている。
【００５１】
一対の第１側壁部５ｂ２のうちの一方には、ケース本体５ｂｂにおける開口側から切り欠かれるように設けられた切欠部５ｂｎが備えられている。切欠部５ｂｎは、一端が回路基板５ｄと電気的に接続された電線５ｃを、ケース本体５ｂｂの内部から外部に導出できるように構成されている。
【００５２】
一対の第２側壁部５ｂ３の一方には、回路基板５ｄの一側端を挟み込む一対のリブ５ｂｋが底壁部５ｂ１から突出するように設けられている。一対の第２側壁部５ｂ３の他方には、回路基板５ｄの他側端を収容する溝部５ｂｍが設けられている。ケース本体５ｂｂは、リブ５ｂｋと溝部５ｂｍを用いて、回路基板５ｄの通信回路部５ｇ側を保持できるように構成されている。一対の第２側壁部５ｂ３は、係合溝５ｂｕを備えている。係合溝５ｂｕは、蓋体５ｂａにおける爪部５ｂｊと係り合うことができるように形成されている。
【００５３】
収容ケース５ｂは、ケース本体５ｂｂの開口を塞ぐように蓋体５ｂａが被せられ、脚部５ｂｈの爪部５ｂｊが係合溝５ｂｕと係り合うことで、蓋体５ｂａとケース本体５ｂｂとを固定させることができる。収容ケース５ｂは、アンテナ部５ｆを蓋体５ｂａに収容させ、通信回路部５ｇをケース本体５ｂｂに収容できるように、回路基板５ｄを配置している。収容ケース５ｂは、蓋体５ｂａと、ケース本体５ｂｂとが、電波を透過する材料によって形成されている。収容ケース５ｂの材料としては、たとえば、ポリカーボネート樹脂、エポキシ樹脂、ポリエステル樹脂、ポリイミド樹脂などの合成樹脂を用いることができる。
【００５４】
電線５ｃは、一端と反対の他端にプラグコネクタ５ｃａが設けられている。電線５ｃは、アンテナ部５ｆで受信した電波を媒体とする無線信号に基づいて、通信回路部５ｇが生成した調光信号を電源装置４側へ出力できるように、通信回路部５ｇと電源ユニット４ａとを電気的に接続させる。
【００５５】
通信回路部５ｇは、図７に示すように、無線通信回路５ｈと、無線制御回路５ｊと、光通信回路５ｋと、フォトカプラ５ｍと、第２抵抗Ｒ２と、第３抵抗Ｒ３と、信号出力部５ｎと、を備えている。
【００５６】
無線通信回路５ｈは、アンテナ部５ｆで受信した電波を媒体とする無線信号から制御指令を取得する。無線信号は、照明器具１０の外部に設けられた無線装置から送信される。無線信号としては、たとえば、９２０ＭＨｚ帯の電波が利用される。電波を媒体とする無線信号には、照明器具１０の点灯、消灯や調光レベルを制御する制御指令が含まれる。無線通信回路５ｈは、無線信号から取得した制御指令を無線制御回路５ｊに出力する。無線通信回路５ｈは、アンテナ部５ｆで受信する無線信号から制御指令だけでなく、送信元の無線装置の識別情報を取得して無線制御回路５ｊに出力する。
【００５７】
無線制御回路５ｊは、無線通信回路５ｈから取得した制御指令に対応する制御信号を出力できるように構成されている。無線制御回路５ｊは、無線通信回路５ｈから受け取った制御指令を伝送するための制御信号を生成する。無線制御回路５ｊは、たとえば、生成される制御信号がパルス幅変調信号の場合、制御指令の調光レベルが低くなるにつれてデューティ比を減少させるように構成されている。無線制御回路５ｊは、マイクロコンピュータなどを利用して構成することができる。マイクロコンピュータには、メモリ５ｊａが内蔵されている。無線制御回路５ｊは、無線通信回路５ｈから受け取った識別情報が、予めメモリ５ｊａに記憶されている識別情報と一致すれば、制御信号を生成する。無線制御回路５ｊは、無線通信回路５ｈから受け取った識別情報がメモリ５ｊａに記憶されている識別情報と一致しなければ、無線通信回路５ｈから受け取った制御指令を破棄して制御信号を生成しない。無線制御回路５ｊは、無線通信回路５ｈが複数の無線装置から無線信号を受信可能であっても、識別情報が予め登録されている特定の無線装置から送信される制御指令だけを受け入れるように構成されている。
【００５８】
無線制御回路５ｊは、制御信号が伝送される一対の信号線と電気的に接続される。無線制御回路５ｊには、フォトカプラ５ｍの入力端子と、限流用の第２抵抗Ｒ２とが電気的に直列接続される。
【００５９】
信号出力部５ｎは、電線５ｃを介して、電源ユニット４ａの制御用コネクタ４ｐと電気的に接続される。電線５ｃは、シールド線を用いることができる。シールド線は、被覆付き導線の周りに細い導線や金属箔で包んだ構造に形成されている。シールド線は、外部の導線や金属箔をグランド電位にして、内部の導線に通信信号を流すことができるように構成されている。電線５ｃは、図７に示す、第１電線５ｃ１と、第２電線５ｃ２と、第３電線５ｃ３とを、備えている。第１電線５ｃ１は、フォトカプラ５ｍの負極側の出力端子と、電源ユニット４ａのグランドと、を電気的に接続させる。第２電線５ｃ２は、第３抵抗Ｒ３の一端と、制御電源回路４ｋの出力端子と、を電気的に接続させる。第３電線５ｃ３は、第３抵抗Ｒ３の他端とフォトカプラ５ｍの正極側の出力端子との接続点を、調光制御回路４ｍおよび消灯制御回路４ｎに電気的に接続させる。
【００６０】
第３抵抗Ｒ３とフォトトランジスタの直列回路には、電線５ｃを介して、電源ユニット４ａ側から一定の制御電源電圧が常に印加される。フォトカプラ５ｍは、無線制御回路５ｊからの入力電圧がハイレベルのときにローレベルとなり、入力電圧がローレベルのときにハイレベルとなる制御信号を、調光制御回路４ｍおよび消灯制御回路４ｎに出力できる。
【００６１】
光通信回路５ｋは、赤外線を媒体として赤外線通信を行うことができるように構成されている。光通信回路５ｋは、受光素子５ｋａを備えている。受光素子５ｋａは、フォトダイオードやフォトトランジスタで構成することができる。光通信回路５ｋは、受光素子５ｋａで赤外線信号を受信し、受信した赤外線信号から取得する取得信号を無線制御回路５ｊに出力できるように構成されている。取得信号は、たとえば、赤外線信号の送信元であるリモートコントローラに割り当てられている固有の識別情報の他、照明器具１０の光出力を制御する制御指令などが挙げられる。無線制御回路５ｊは、光通信回路５ｋから受け取った取得信号を、メモリ５ｊａに記憶できるように構成されている。
【００６２】
無線通信装置５は、あらかじめ複数の照明器具１０がグループ化されている場合、グループごとに制御させる無線信号が受信できるように構成されている。グループ化された照明器具１０は、無線通信装置５が受信した電波を媒体とする無線信号に基づいて、調光制御することができる。複数の照明器具１０の各々は、赤外線信号を利用して、照明器具１０ごとの光源部１から照射される光出力を調整できるように構成されている。照明器具１０は、たとえば、外部のリモートコントローラから放射される赤外線信号を受信して、照明器具１０の各々の光出力の設定を行うことができるように構成できる。照明器具１０は、リモートコントローラから放射される赤外線信号で、複数の照明器具１０ごとに弁別する識別情報が設定されるように構成できる。
【００６３】
取付部材６は、図１、図３ないし図５に示すように、取付片６ａと、連結片６ｂと、保持片６ｃと、を備えている。取付片６ａは、長尺の平板の外形形状をしている。取付片６ａは、正面視において、長手方向の一側縁６ａａが枠本体３ｃの外周に沿った円弧状に切り欠かれるように形成されている。取付片６ａは、長手方向の両端部に、厚み方向に貫通する第１通孔６ａｃを備えている。取付片６ａは、第１通孔６ａｃに挿通された取付ねじ６ｋにより、枠体３に取り付けられる。取付片６ａは、正面視において、一側縁６ａａと反対の他側縁６ａｂ側が矩形状に切り欠かれるように、窪んだ外形形状に形成されている。取付片６ａは、他側縁６ａｂ側から取付片６ａの厚み方向に沿って立ち上がるように連結片６ｂが設けられている。取付片６ａは、一対の連結片６ｂが長手方向における両側に設けられている。連結片６ｂは、取付片６ａと反対側に保持片６ｃが設けられている。保持片６ｃは、長尺の平板の外形形状をしている。保持片６ｃは、長手方向の中央部に、厚み方向に貫通する開口部６ｃｃを有している。開口部６ｃｃは、保持片６ｃの長手方向に沿って、長い矩形状に形成されている。開口部６ｃｃは、無線通信装置５のアンテナ収容部５ｂｆが挿入できるように形成されている。保持片６ｃは、長手方向の両端部に、厚み方向に貫通する第２通孔６ｃｂを備えている。保持片６ｃは、第２通孔６ｃｂに挿通された保持ねじ６ｒにより、開口部６ｃｃからアンテナ収容部５ｂｆを鍔部３ｂに向かうように配置させた状態で、無線通信装置５を保持できるように構成されている。取付部材６は、取付片６ａと連結片６ｂと保持片６ｃとが一体的に形成されている。取付部材６は、金属板の打ち抜き加工および打ち抜き加工により形成されている。
【００６４】
取付ばね８は、長尺の板状の外形形状をしている。取付ばね８は、側面視において、Ｌ字状に形成されている。取付ばね８は、長手方向の一端部８ａが保持部３ｄに保持されるように構成されている。取付ばね８は、金属板の打ち抜き加工および折り曲げ加工により形成されている。
【００６５】
以下では、照明器具１０の施工作業について、図５を参照しながら簡単に説明する。
【００６６】
施工作業では、最初に、商用交流電源からの電源ケーブル５１と、端子台４ｂとが電気的に接続される。施工作業では、電源ケーブル５１と電気的に接続された電源装置４を、造営材たる天井材５０に載せ置くように、電源装置４を天井材５０に設けられた取付孔５０ａａから挿入する。
【００６７】
次に、施工作業では、一端部８ａが枠体３に保持された取付ばね８における一端部８ａと反対側の他端部８ｂを、枠本体３ｃに近づけるように押し倒した状態で、取付孔５０ａａに本体部２を挿入させる。照明器具１０では、枠体３の鍔部３ｂが天井材５０の取付孔５０ａａの周部に当たるまで取付孔５０ａａに押し込まれると、取付ばね８の他端部８ｂが枠本体３ｃから離れる方向に開く。照明器具１０は、取付ばね８の他端部８ｂが取付孔５０ａａの周部に取付ばね８の弾性力を付与し、取付ばね８の他端部８ｂと、枠体３の鍔部３ｂとで天井材５０を挟持することにより、天井材５０に取り付けられる。
【００６８】
すなわち、本実施形態の照明器具１０では、天井材５０に設けられた取付孔５０ａａに本体部２が埋め込まれ、鍔部３ｂの背面３ｂｂを、天井材５０における取付孔５０ａａの縁部に当てる形で天井材５０に取り付けられる。
【００６９】
ところで、本願と比較のための照明器具では、本体部と、電源装置と、無線通信装置とが各別に別体に設けられる場合、本体部と、電源装置と、無線通信装置と、をそれぞれ別々に天井材に配置させるため、施工作業に手間と時間が大きく掛かる場合がある。特に、複数の照明器具を施工する場合においては、施工作業に手間と時間が掛かり、施工性が低下するおそれがある。
【００７０】
本実施形態の照明器具１０では、無線通信装置５は、枠体３の正面視において、枠体３への投影が鍔部３ｂの外周縁３ｕｕよりも内側、かつ本体部２の外縁２ｕｕよりも外側となるように配置されているので、取付孔５０ａａへの挿通を行い易くすることができる。
【００７１】
照明器具１０は、無線通信装置５は、枠体３の正面視において、枠体３への投影が鍔部３ｂの外周縁３ｕｕよりも内側、かつ本体部２の外縁２ｕｕよりも外側となるように配置されているので、無線通信装置５と本体部２側とを一体的に施工することができる。照明器具１０は、施工作業に際し、無線通信装置５と本体部２側とを一体的に施工できるので、設置が容易にできる。照明器具１０は、無線通信装置５と本体部２側とが一体的に施工できるので、照明器具１０における無線通信装置５の位置が定まり、通信特性を安定化させることができる。
【００７２】
本実施形態の照明器具１０は、無線通信装置５は、電源装置４と別体に形成されている。無線通信装置５は、水晶発振器などを備える場合もあり、電源装置４からの熱により加熱されると、出力される電波が弱くなるおそれもある。無線通信装置５は、電源装置４から離れた位置に配置されていることで、通信性能の低下を抑制させることもできる。
【００７３】
また、本実施形態の照明器具１０では、無線通信装置５は、平板状のアンテナ部５ｆを有している。無線通信装置５は、アンテナ部５ｆが鍔部３ｂに対し傾斜して配置されている。
【００７４】
照明器具１０では、無線通信装置５のアンテナ部５ｆが鍔部３ｂに対し傾斜して配置されることで、天井材５０を通り抜けた無線信号の受信を行い易くできる。
【００７５】
本実施形態の照明器具１０では、取付部材６は、無線通信装置５を枠体３に保持させる場合、本体部２と連結片６ｂとの間にアンテナ部５ｆを挟むように無線通信装置５を配置させることで、アンテナ部５ｆに外力が加わることを抑制できる。すなわち、連結片６ｂは、アンテナ部５ｆを機械的に保護するガード部を構成している。
【００７６】
言い換えれば、本実施形態の照明器具１０では、無線通信装置５は、取付部材６により枠体３に取り付けられている。取付部材６は、アンテナ部５ｆを機械的に保護するガード部を有している。
【００７７】
照明器具では、アンテナ部を機械的に保護するガード部がない場合、施工作業において、作業者や天井材における取付孔にアンテナ部が当たるおそれがある。本実施形態の照明器具１０では、取付部材６がアンテナ部５ｆを機械的に保護するガード部を有しているので、アンテナ部５ｆに外力が加わって、アンテナ部５ｆの向きが変わることを抑制することができる。本実施形態の照明器具１０では、アンテナ部５ｆの向きが変わることで、通信性能が低下するおそれを抑制することができる。本実施形態の照明器具１０では、アンテナ部５ｆに外力が加わって、無線通信装置５に損傷が加わることを抑制することができる。
【００７８】
本実施形態の照明器具１０では、無線通信装置５は、赤外線を媒体として赤外線通信を行う受光素子５ｋａを有している。枠体３は、受光素子５ｋａへの赤外線を透過させる透過孔３ｅａが設けられている。
【００７９】
本実施形態の照明器具１０では、枠体３は、受光素子５ｋａへの赤外線を透過させる透過孔３ｅａが設けられていることで、電波を媒体とした無線通信とは別途に、透過孔３ｅａを介して赤外線通信を行うことができる。照明器具１０は、電波を媒体とした無線通信および赤外通信を行う無線通信装置５と本体部２側とが一体的に構成されることで、小型化を図ることもできる。
【００８０】
本実施形態の照明器具１０では、図３および図５に示すように、無線通信装置５と本体部２との間には、無線通信装置５から導出する電線５ｃが挟まれている。
【００８１】
照明器具１０では、無線通信装置５と本体部２との間に電線５ｃが挟まれていることで、電線５ｃの張力止めに利用することができる。照明器具１０では、電源装置４と無線通信装置５とが別体に形成されており、特に、電源装置４と無線通信装置５とが電線５ｃで電気的に接続されている場合、電源装置４の施工作業にあたり、電線５ｃにかかる張力を抑制することができる。
【００８２】
（実施形態２）
図８に示す本実施形態の照明器具１０は、図１に示す実施形態１と同様の構成であり、本体部２および無線通信装置５を取り付ける取付部材６の構造が主として相違する。本実施形態の照明器具１０では、実施形態１と同様の構成要素には同一の符号を付して説明を適宜省略する。
【００８３】
本実施形態の照明器具１０では、図８に示すように、本体部２のフィン２ｊが無線通信装置５を覆うように設けられている。照明器具１０は、側面視において、フィン２ｊと、鍔部３ｂとの間に、無線通信装置５が配置されている。照明器具１０は、無線通信装置５が、平板状の取付部材６により、枠体３に取り付けられている。
【００８４】
無線通信装置５は、枠体３の正面視において、枠体３への投影が鍔部３ｂの外周縁３ｕｕよりも内側に配置され、かつ枠体３への投影が本体部２の外縁２ｕｕよりも外側に配置されるように、平板の取付部材６で本体部２に取り付けられている。
【００８５】
本実施形態の照明器具１０は、実施形態１と同様に、より施工性を高くすることができる。
【符号の説明】
【００８６】
１  光源部
２  本体部
２ｕｕ  外縁
３  枠体
３ａ  反射体
３ｂ  鍔部
３ｅａ  透過孔
３ｕｕ  外周縁
４  電源装置
５  無線通信装置
５ｃ  電線
５ｋａ  受光素子
５ｆ  アンテナ部
６  取付部材
１０  照明器具
【図１】
0006675089.tif 000002
【図２】
0006675089.tif 000003
【図３】
0006675089.tif 000004
【図４】
0006675089.tif 000005
【図５】
0006675089.tif 000006
【図６】
0006675089.tif 000007
【図７】
0006675089.tif 000008
【図８】
0006675089.tif 000009